【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
波長の異なる複数のレーザ光を出射する発光部と、
第１の位相格子と該第１の位相格子の両側に設けられた第２の位相格子を備えることにより２段の位相高さを持ち、上記発光部より出射された一の波長のレーザ光を３ビームに分割し、上記発光部より出射された他の波長のレーザ光をほぼ透過させる表面レリーフ型の回折格子と、
上記発光部より出射されたレーザ光を光ディスク上に集光させる対物レンズと、
上記光ディスクに反射された戻り光の光路を分岐する光学素子と、
上記光学素子により分岐された戻り光を受光する受光部とを備える光ピックアップ装置。
【請求項２】
上記発光部は、６６０ｎｍ付近の波長λ１を有する第１のレーザ光と、７８５ｎｍ付近の波長λ２を有する第２のレーザ光とを出射するものであり、
上記回折格子は、回折格子ピッチの２６％以上３９％以下の幅と、上記λ１のレーザ光が入射されたときの屈折率をＮ１として、λ１／（Ｎ１−１）の１．０１倍以上１．１９倍以下の位相高さを備える第１の位相格子と、該第１の位相格子の両側に設けられ、それぞれ回折格子ピッチの３７％以下の幅と、λ１／（Ｎ１−１）の０．３１倍以下の位相高さを備える第２の位相格子とからなることを特徴とする請求項１記載の光ピックアップ装置。
【請求項３】
上記発光部は、６６０ｎｍ付近の波長λ１を有する第１のレーザ光と、７８５ｎｍ付近の波長λ２を有する第２のレーザ光とを出射するものであり、
上記回折格子は、回折格子ピッチの６２％以上７５％以下の幅と、上記λ１のレーザ光が入射されたときの屈折率をＮ１として、λ１／（λ１−１）の１．０１倍以上１．２４倍以下の位相高さを備える第１の位相格子と、該第１の位相格子の両側に設けられ、それぞれ回折格子ピッチの１９％以下の幅と、λ１／（Ｎ１−１）の０．３４倍以下の位相高さを備える第２の位相格子とからなることを特徴とする請求項１記載の光ピックアップ装置。
【請求項４】
上記発光部は、６６０ｎｍ付近の波長λ１を有する第１のレーザ光と、７８５ｎｍ付近の波長λ２を有する第２のレーザ光とを出射するものであり、
上記回折格子は、Ｗ１の幅を有する第１の位相格子と、該第１の位相格子の両側に設けられ、それぞれＷ２の幅を有する第２の位相格子とが、回折格子ピッチＰに対して０．２５×Ｐ＜（Ｗ１＋２×Ｗ２）＜０．３９×Ｐの関係を満たし、且つ、上記第１の位相格子が、上記λ１のレーザ光が入射されたときの屈折率をＮ１として、λ１／（Ｎ１−１）の０．９倍以上１．１３倍以下の位相高さを有し、上記第２の位相格子がλ１／（Ｎ１−１）の０．７倍以上１．３１倍以下の位相高さを有することを特徴とする請求項１記載の光ピックアップ装置。
【請求項５】
上記発光部は、６６０ｎｍ付近の波長λ１を有する第１のレーザ光と、７８５ｎｍ付近の波長λ２を有する第２のレーザ光とを出射するものであり、
上記回折格子は、Ｗ１の幅を有する第１の位相格子と、該第１の位相格子の両側に設けられ、それぞれＷ２の幅を有する第２の位相格子とが、回折格子ピッチＰに対して０．６１×Ｐ＜（Ｗ１＋２×Ｗ２）＜０．８５×Ｐの関係を満たし、且つ、上記第１の位相格子が、上記λ１のレーザ光が入射されたときの屈折率をＮ１として、λ１／（Ｎ１−１）の０．８９倍以上１．１３倍以下の位相高さを有し、上記第２の位相格子がλ１／（Ｎ１−１）の０．７２倍以上１．３１倍以下の位相高さを有することを特徴とする請求項１記載の光ピックアップ装置。
【請求項６】
上記発光部は、６６０ｎｍ付近の波長λ１を有する第１のレーザ光と、７８５ｎｍ付近の波長λ２を有する第２のレーザ光とを出射するものであり、
上記回折格子は、回折格子ピッチの１１％以上３３％以下の幅と、上記λ２のレーザ光が入射されたときの屈折率をＮ２として、λ２／（Ｎ２−１）の０．９４倍以上１．１倍以下の位相高さを備える第１の位相格子と、該第１の位相格子の両側に設けられ、それぞれ回折格子ピッチの３７％以下の幅と、λ２／（Ｎ２−１）の０．２２倍以下の位相高さを備える第２の位相格子とからなることを特徴とする請求項１記載の光ピックアップ装置。
【請求項７】
上記発光部は、６６０ｎｍ付近の波長λ１を有する第１のレーザ光と、７８５ｎｍ付近の波長λ２を有する第２のレーザ光とを出射するものであり、
上記回折格子は、回折格子ピッチの６７％以上７５％以下の幅と、上記λ２のレーザ光が入射されたときの屈折率をＮ２として、λ２／（Ｎ２−１）の０．９５倍以上１．０７倍以下の位相高さを備える第１の位相格子と、該第１の位相格子の両側に設けられ、それぞれ回折格子ピッチの１５％以下の幅と、λ２／（Ｎ２−１）の０．１８倍以下の位相高さを備える第２の位相格子とからなることを特徴とする請求項１記載の光ピックアップ装置。
【請求項８】
上記発光部は、６６０ｎｍ付近の波長λ１を有する第１のレーザ光と、７８５ｎｍ付近の波長λ２を有する第２のレーザ光とを出射するものであり、
上記回折格子は、Ｗ１の幅を有する第１の位相格子と、該第１の位相格子の両側に設けられ、それぞれＷ２の幅を有する第２の位相格子とが、回折格子ピッチＰに対して０．２５×Ｐ＜（Ｗ１＋２×Ｗ２）＜０．３３×Ｐの関係を満たし、且つ、上記第１の位相格子が、上記λ２のレーザ光が入射されたときの屈折率をＮ２として、λ２／（Ｎ２−１）の０．９３倍以上１．０３倍以下の位相高さを有し、上記第２の位相格子がλ２／（Ｎ２−１）の０．７８倍以上１．０６倍以下の位相高さを有することを特徴とする請求項１記載の光ピックアップ装置。
【請求項９】
上記発光部は、６６０ｎｍ付近の波長λ１を有する第１のレーザ光と、７８５ｎｍ付近の波長λ２を有する第２のレーザ光とを出射するものであり、
上記回折格子は、Ｗ１の幅を有する第１の位相格子と、該第１の位相格子の両側に設けられ、それぞれＷ２の幅を有する第２の位相格子とが、回折格子ピッチＰに対して０．６７×Ｐ＜（Ｗ１＋２×Ｗ２）＜０．８９×Ｐの関係を満たし、且つ、上記第１の位相格子が、上記λ２のレーザ光が入射されたときの屈折率をＮ２として、λ２／（Ｎ２−１）の０．９３倍以上１．０６倍以下の位相高さを有し、上記第２の位相格子がλ２／（Ｎ２−１）の０．７４倍以上１．０６倍以下の位相高さを有することを特徴とする請求項１記載の光ピックアップ装置。
【請求項１０】
６６０ｎｍ付近の波長λ１を有する第１のレーザ光と、７８５ｎｍ付近の波長λ２を有する第２のレーザ光とを出射する発光部と、
第１の位相格子と該第１の位相格子の両側に設けられた第２の位相格子を備えることにより２段の位相高さを持ち、上記λ１の波長のレーザ光を３ビームに分割し、λ２の波長のレーザ光をほぼ透過させる表面レリーフ型の第１の回折格子と、
第１の位相格子と該第１の位相格子の両側に設けられた第２の位相格子を備えることにより２段の位相高さを持ち、上記λ２の波長のレーザ光を３ビームに分割し、λ１の波長のレーザ光をほぼ透過させる表面レリーフ型の第２の回折格子と、
上記発光部より出射されたレーザ光を光ディスク上に集光させる対物レンズと、
上記光ディスクに反射された戻り光の光路を分岐する光学素子と、
上記光学素子により分岐された戻り光を受光する受光部とを備える光ピックアップ装置。
【請求項１１】
上記第２の回折格子は、回折格子ピッチの２６％以上３９％以下の幅と、上記λ１のレーザ光が入射されたときの屈折率をＮ１として、λ１／（Ｎ１−１）の１．０１倍以上１．１９倍以下の位相高さを備える第１の位相格子と、該第１の位相格子の両側に設けられ、それぞれ回折格子ピッチの３７％以下の幅と、λ１／（Ｎ１−１）の０．３１倍以下の位相高さを備える第２の位相格子とからなることを特徴とする請求項１０記載の光ピックアップ装置。
【請求項１２】
上記第２の回折格子は、回折格子ピッチの６２％以上７５％以下の幅と、上記λ１のレーザ光が入射されたときの屈折率をＮ１として、λ１／（λ１−１）の１．０１倍以上１．２４倍以下の位相高さを備える第１の位相格子と、該第１の位相格子の両側に設けられ、それぞれ回折格子ピッチの１９％以下の幅と、λ１／（Ｎ１−１）の０．３４倍以下の位相高さを備える第２の位相格子とからなることを特徴とする請求項１０記載の光ピックアップ装置。
【請求項１３】
上記第２の回折格子は、Ｗ１の幅を有する第１の位相格子と、該第１の位相格子の両側に設けられ、それぞれＷ２の幅を有する第２の位相格子とが、回折格子ピッチＰに対して０．２５×Ｐ＜（Ｗ１＋２×Ｗ２）＜０．３９×Ｐの関係を満たし、且つ、上記第１の位相格子が、上記λ１のレーザ光が入射されたときの屈折率をＮ１として、λ１／（Ｎ１−１）の０．９倍以上１．１３倍以下の位相高さを有し、上記第２の位相格子がλ１／（Ｎ１−１）の０．７倍以上１．３１倍以下の位相高さを有することを特徴とする請求項１０記載の光ピックアップ装置。
【請求項１４】
上記第２の回折格子は、Ｗ１の幅を有する第１の位相格子と、該第１の位相格子の両側に設けられ、それぞれＷ２の幅を有する第２の位相格子とが、回折格子ピッチＰに対して０．６１×Ｐ＜（Ｗ１＋２×Ｗ２）＜０．８５×Ｐの関係を満たし、且つ、上記第１の位相格子が、上記λ１のレーザ光が入射されたときの屈折率をＮ１として、λ１／（Ｎ１−１）の０．８９倍以上１．１３倍以下の位相高さを有し、上記第２の位相格子がλ１／（Ｎ１−１）の０．７２倍以上１．３１倍以下の位相高さを有することを特徴とする請求項１０記載の光ピックアップ装置。
【請求項１５】
上記第１の回折格子は、回折格子ピッチの１１％以上３３％以下の幅と、上記λ２のレーザ光が入射されたときの屈折率をＮ２として、λ２／（Ｎ２−１）の０．９４倍以上１．１倍以下の位相高さを備える第１の位相格子と、該第１の位相格子の両側に設けられ、それぞれ回折格子ピッチの３７％以下の幅と、λ２／（Ｎ２−１）の０．２２倍以下の位相高さを備える第２の位相格子とからなることを特徴とする請求項１０記載の光ピックアップ装置。
【請求項１６】
上記第１の回折格子は、回折格子ピッチの６７％以上７５％以下の幅と、上記λ２のレーザ光が入射されたときの屈折率をＮ２として、λ２／（Ｎ２−１）の０．９５倍以上１．０７倍以下の位相高さを備える第１の位相格子と、該第１の位相格子の両側に設けられ、それぞれ回折格子ピッチの１５％以下の幅と、λ２／（Ｎ２−１）の０．１８倍以下の位相高さを備える第２の位相格子とからなることを特徴とする請求項１０記載の光ピックアップ装置。
【請求項１７】
上記第１の回折格子は、Ｗ１の幅を有する第１の位相格子と、該第１の位相格子の両側に設けられ、それぞれＷ２の幅を有する第２の位相格子とが、回折格子ピッチＰに対して０．２５×Ｐ＜（Ｗ１＋２×Ｗ２）＜０．３３×Ｐの関係を満たし、且つ、上記第１の位相格子が、上記λ２のレーザ光が入射されたときの屈折率をＮ２として、λ２／（Ｎ２−１）の０．９３倍以上１．０３倍以下の位相高さを有し、上記第２の位相格子がλ２／（Ｎ２−１）の０．７８倍以上１．０６倍以下の位相高さを有することを特徴とする請求項１０記載の光ピックアップ装置。
【請求項１８】
上記第１の回折格子は、Ｗ１の幅を有する第１の位相格子と、該第１の位相格子の両側に設けられ、それぞれＷ２の幅を有する第２の位相格子とが、回折格子ピッチＰに対して０．６７×Ｐ＜（Ｗ１＋２×Ｗ２）＜０．８９×Ｐの関係を満たし、且つ、上記第１の位相格子が、上記λ２のレーザ光が入射されたときの屈折率をＮ２として、λ２／（Ｎ２−１）の０．９３倍以上１．０６倍以下の位相高さを有し、上記第２の位相格子がλ２／（Ｎ２−１）の０．７４倍以上１．０６倍以下の位相高さを有することを特徴とする請求項１０記載の光ピックアップ装置。
【請求項１９】
上記第１回折格子は光透過性基板の一面側に形成され、上記第２の回折格子は上記基板の他面側に形成された単一素子からなることを特徴とする請求項１０乃至１８の何れか一項記載の光ピックアップ装置。
【請求項２０】
上記第１の回折格子によって３ビームに分割された波長λ１のレーザ光の上記光ディスク上での光スポット間隔と、上記第２の回折格子によって３ビームに分割された波長λ２のレーザ光の上記光ディスク上での光スポット間隔とが等しくなるように、上記第１及び第２の回折格子の格子ピッチが設計されていることを特徴とする請求項１０乃至１８の何れか一項記載の光ピックアップ装置。
【請求項２１】
上記第１の回折格子によって３ビームに分割された波長λ１のレーザ光の上記光ディスク上での光スポット列が、０次光がピット部、±１次光がランド部に照射されるＤＰＰ配置になり、上記第２の回折格子によって３ビームに分割された波長λ２のレーザ光の上記光ディスク上での光スポット列が、０次光がピット部、±１次光がランド部に照射されるＤＰＰ配置になるように、上記第１の回折格子の格子方向と、上記第２の回折格子の格子方向とが所定の角度を備えていることを特徴とする請求項１０乃至１８の何れか一項記載の光ピックアップ装置。
【請求項２２】
光ディスクを回転駆動するディスク回転駆動手段と、
上記光ディスクに対して情報信号の書き込み及び／又は読み出しを行う光ピックアップとを備えた光ディスク装置において、
上記光ピックアップは、
波長の異なる複数のレーザ光を出射する発光部と、
第１の位相格子と該第１の位相格子の両側に設けられた第２の位相格子を備えることにより２段の位相高さを持ち、上記発光部より出射された一の波長のレーザ光を３ビームに分割し、上記発光部より出射された他の波長のレーザ光をほぼ透過させる表面レリーフ型の回折格子と、
上記発光部より出射されたレーザ光を光ディスク上に集光させる対物レンズと、
上記光ディスクに反射された戻り光の光路を分岐する光学素子と、
上記光学素子により分岐された戻り光を受光する受光部とを備える光ディスク装置。
【請求項２３】
光ディスクを回転駆動するディスク回転駆動手段と、
上記光ディスクに対して情報信号の書き込み及び／又は読み出しを行う光ピックアップとを備えた光ディスク装置において、
上記光ピックアップは、
６６０ｎｍ付近の波長λ１を有する第１のレーザ光と、７８５ｎｍ付近の波長λ２を有する第２のレーザ光とを出射する発光部と、
第１の位相格子と該第１の位相格子の両側に設けられた第２の位相格子を備えることにより２段の位相高さを持ち、上記λ１の波長のレーザ光を３ビームに分割し、λ２の波長のレーザ光をほぼ透過させる表面レリーフ型の第１の回折格子と、
第１の位相格子と該第１の位相格子の両側に設けられた第２の位相格子を備えることにより２段の位相高さを持ち、上記λ２の波長のレーザ光を３ビームに分割し、λ１の波長のレーザ光をほぼ透過させる表面レリーフ型の第２の回折格子と、
上記発光部より出射されたレーザ光を光ディスク上に集光させる対物レンズと、
上記光ディスクに反射された戻り光の光路を分岐する光学素子と、
上記光学素子により分岐された戻り光を受光する受光部とを備える光ディスク装置。
【手続補正２】
【補正対象書類名】明細書
【補正対象項目名】発明の名称
【補正方法】変更
【補正の内容】
【発明の名称】光ピックアップ装置、光ディスク装置
【手続補正３】
【補正対象書類名】明細書
【補正対象項目名】０００１
【補正方法】変更
【補正の内容】
【０００１】
本発明は光ディスクに対して情報信号の記録及び／又は再生を行う光ピックアップ装置に関し、特に複数種の光ディスクに対応して２波長のレーザ光を出射するとともに、３ビーム法によりトラッキングエラーを検出する光ピックアップ装置及びこの光ピックアップ装置を備えた光ディスク装置に関する。
【手続補正４】
【補正対象書類名】明細書
【補正対象項目名】００１１
【補正方法】変更
【補正の内容】
【００１１】
そこで、本発明は、長短異なる波長のレーザを発光する２つのレーザダイオードを備える２波長ピックアップ装置において、３ビーム分割を行なう波長の０次光／１次光の回折光強度比を大きくするとともに０次、±１次以外の高次の回折光の発生を抑えることによりレーザの利用効率を高めて精度よくトラッキングエラー検出を行う光ピックアップ装置及びこの光ピックアップ装置を備えた光ディスク装置を提供することを目的とする。
【手続補正５】
【補正対象書類名】明細書
【補正対象項目名】００１２
【補正方法】変更
【補正の内容】
【００１２】
以上のような課題を解決するために、本発明に係る光ピックアップ装置は、波長の異なる複数のレーザ光を出射する発光部と、第１の位相格子と該第１の位相格子の両側に設けられた第２の位相格子を備えることにより２段の位相高さを持ち、上記発光部より出射された一の波長のレーザ光を３ビームに分割し、上記発光部より出射された他の波長のレーザ光をほぼ透過させる表面レリーフ型の回折格子と、上記発光部より出射されたレーザ光を光ディスク上に集光させる対物レンズと、上記光ディスクに反射された戻り光の光路を分岐する光学素子と、上記光学素子により分岐された戻り光を受光する受光部とを備えるものである。
また本発明にかかる光ディスク装置は、光ディスクを回転駆動するディスク回転駆動手段と、上記光ディスクに対して情報信号の書き込み及び／又は読み出しを行う光ピックアップとを備えた光ディスク装置において、上記光ピックアップは、波長の異なる複数のレーザ光を出射する発光部と、第１の位相格子と該第１の位相格子の両側に設けられた第２の位相格子を備えることにより２段の位相高さを持ち、上記発光部より出射された一の波長のレーザ光を３ビームに分割し、上記発光部より出射された他の波長のレーザ光をほぼ透過させる表面レリーフ型の回折格子と、上記発光部より出射されたレーザ光を光ディスク上に集光させる対物レンズと、上記光ディスクに反射された戻り光の光路を分岐する光学素子と、上記光学素子により分岐された戻り光を受光する受光部とを備えるものである。
【手続補正６】
【補正対象書類名】明細書
【補正対象項目名】００１３
【補正方法】変更
【補正の内容】
【００１３】
また、本発明にかかる光ピックアップ装置は、６６０ｎｍ付近の波長λ１を有する第１のレーザ光と、７８５ｎｍ付近の波長λ２を有する第２のレーザ光とを出射する発光部と、第１の位相格子と該第１の位相格子の両側に設けられた第２の位相格子を備えることにより２段の位相高さを持ち、上記λ１の波長のレーザ光を３ビームに分割し、λ２の波長のレーザ光をほぼ透過させる表面レリーフ型の第１の回折格子と、第１の位相格子と該第１の位相格子の両側に設けられた第２の位相格子を備えることにより２段の位相高さを持ち、上記λ２の波長のレーザ光を３ビームに分割し、λ１の波長のレーザ光をほぼ透過させる表面レリーフ型の第２の回折格子と、上記発光部より出射されたレーザ光を光ディスク上に集光させる対物レンズと、上記光ディスクに反射された戻り光の光路を分岐する光学素子と、上記光学素子により分岐された戻り光を受光する受光部とを備えるものである。
また、本発明にかかる光ディスク装置は、光ディスクを回転駆動するディスク回転駆動手段と、上記光ディスクに対して情報信号の書き込み及び／又は読み出しを行う光ピックアップとを備えた光ディスク装置において、上記光ピックアップは、６６０ｎｍ付近の波長λ１を有する第１のレーザ光と、７８５ｎｍ付近の波長λ２を有する第２のレーザ光とを出射する発光部と、第１の位相格子と該第１の位相格子の両側に設けられた第２の位相格子を備えることにより２段の位相高さを持ち、上記λ１の波長のレーザ光を３ビームに分割し、λ２の波長のレーザ光をほぼ透過させる表面レリーフ型の第１の回折格子と、第１の位相格子と該第１の位相格子の両側に設けられた第２の位相格子を備えることにより２段の位相高さを持ち、上記λ２の波長のレーザ光を３ビームに分割し、λ１の波長のレーザ光をほぼ透過させる表面レリーフ型の第２の回折格子と、上記発光部より出射されたレーザ光を光ディスク上に集光させる対物レンズと、上記光ディスクに反射された戻り光の光路を分岐する光学素子と、上記光学素子により分岐された戻り光を受光する受光部とを備えるものである。
【手続補正７】
【補正対象書類名】明細書
【補正対象項目名】００１４
【補正方法】変更
【補正の内容】
【００１４】
このような光ピックアップ装置及び光ディスク装置によれば、３ビームによるトラッキングエラー信号を検出する際に、回折格子を透過する波長のレーザ光は±１次光をほとんど発生させず、３ビームに回折される波長のレーザ光は０次光／１次光の回折光強度比を大きくすることができる。また、高次の回折光もほとんど発生しないため、光ピックアップ装置のレーザ利用効率を高めることができ、精度よく３ビームによるトラッキングエラー信号を検出することができる。
【手続補正８】
【補正対象書類名】明細書
【補正対象項目名】００１５
【補正方法】変更
【補正の内容】
【００１５】
以下、本発明が適用された光ピックアップ装置及び光ディスク装置について、図面を参照しながら詳細に説明する。この光ピックアップ装置１は、ＤＶＤを再生する６６０ｎｍ帯域のレーザ光を出射するレーザダイオードとＣＤやＣＤ−Ｒに対して記録又は再生を行う７８５ｎｍ帯域のレーザ光を出射するレーザダイオードとが１つのパッケージに内蔵された２波長光ピックアップ装置である。この光ピックアップ装置１は、図１にその構成図を模式的に示すように、６６０ｎｍ帯域のレーザダイオード及び７８５ｎｍ帯域のレーザダイオードから構成される２波長半導体レーザ素子３と、２波長半導体レーザ素子３から出射されたレーザ光を透過又は３ビームに分割する回折格子が形成された複合光学素子４と、複合光学素子４により分割されたレーザ光及び光ディスク８からの反射光を反射又は透過するビームスプリッタ５と、コリメータレンズ６と、２波長用の対物レンズ７と、光ディスク８から反射された６６０ｎｍ帯域のレーザ光と７８５ｎｍ帯域のレーザ光の光軸を一致させる回折格子が形成された板状光学素子９と、６６０ｎｍ帯域及び７８５ｎｍ帯域のレーザ光の共通受光素子であり信号検出用のフォトディテクタ１０とを備える。